(57)【要約】【課題】記録媒体の残容量に応じて画像データを消去する場合に、簡便かつ適切に画像データを消去することを課題とする。【解決手段】複数の記録モードを用いて画像データを記録媒体へ記録することが可能な画像処理装置であって、現在の記録モードを検出する検出手段と、現在の記録モードと同じ記録モードで記録されている画像記録ファイルを記録媒体内から検索する検索手段と、検索されたファイルを消去ファイル候補として提示する提示手段と、提示された消去ファイル候補から消去ファイルを選択するユーザーインターフェースと、記録媒体に対して新しい画像データを記録処理中に記録媒体の残容量が少なくなった場合、選択された消去ファイルを消去する消去手段とを有する画像処理装置が提供される。【選択図】図１１
2007164894.tif 000002
【特許請求の範囲】
【請求項１】
複数の記録モードを用いて画像データを記録媒体へ記録することが可能な画像処理装置であって、
現在の記録モードを検出する検出手段と、
現在の記録モードと同じ記録モードで記録されている画像記録ファイルを前記記録媒体内から検索する検索手段と、
前記検索されたファイルを消去ファイル候補として提示する提示手段と、
前記提示された消去ファイル候補から消去ファイルを選択するユーザーインターフェースと、
前記記録媒体に対して新しい画像データを記録処理中に前記記録媒体の残容量が少なくなった場合、前記選択された消去ファイルを消去する消去手段と
を有することを特徴とする画像処理装置。
【請求項２】
前記記録モードのうち、少なくとも一つは静止画を記録するモードであることを特徴とする請求項１記載の画像処理装置。
【請求項３】
前記記録モードのうち、少なくとも一つは動画を記録するモードであることを特徴とする請求項１又は２記載の画像処理装置。
【請求項４】
前記記録モードには記録する画像の画質を決定するモードが含まれることを特徴とする請求項１〜３のいずれか１項に記載の画像処理装置。
【請求項５】
前記記録モードには記録する画像のサイズを決定するモードが含まれることを特徴とする請求項１〜４のいずれか１項に記載の画像処理装置。
【請求項６】
前記記録媒体はハードディスクであることを特徴とする請求項１〜５のいずれか１項に記載の画像処理装置。
【請求項７】
前記記録媒体はデジタルビデオディスクであることを特徴とする請求項１〜５のいずれか１項に記載の画像処理装置。
【請求項８】
複数の記録フォーマットを用いて画像データを記録媒体へ記録することが可能な画像処理装置であって、
現在の記録フォーマットを検出する検出手段と、
現在の記録フォーマットと同じ記録フォーマットで記録されている画像記録ファイルを前記記録媒体内から検索する検索手段と、
前記検索されたファイルを消去ファイル候補として提示する提示手段と、
前記提示された消去ファイル候補から消去ファイルを選択するユーザーインターフェースと、
前記記録媒体に対して新しい画像データを記録処理中に前記記録媒体の残容量が少なくなった場合、前記選択された消去ファイルを消去する消去手段と
を有することを特徴とする画像処理装置。
【請求項９】
前記記録フォーマットには、ビデオ記録フォーマットであるＳＤフォーマットが含まれることを特徴とする請求項８記載の画像処理装置。
【請求項１０】
前記記録フォーマットには、ビデオ記録フォーマットであるＨＤＶフォーマットが含まれることを特徴とする請求項８又は９記載の画像処理装置。
【請求項１１】
前記記録媒体はハードディスクであることを特徴とする請求項８〜１０のいずれか１項に記載の画像処理装置。
【請求項１２】
前記記録媒体はデジタルビデオディスクであることを特徴とする請求項８〜１０のいずれか１項に記載の画像処理装置。
【請求項１３】
記録媒体に記録されている画像データの中から消去されてもかまわない画像データを選択する画像データ選択手段と、
前記記録媒体に対して新しい画像データを記録処理中に前記記録媒体の残容量に応じて前記選択された画像データを消去する消去手段と、
前記記録処理終了後に、前記記録媒体中の前記消去した画像データの位置に新しい画像データが上書きされているかどうか判定する上書き判定手段と、
前記新しい画像データが上書きされていない場合は、前記消去した画像データを復元する復元手段と
を有することを特徴とする画像処理装置。
【請求項１４】
前記記録媒体はハードディスクであり、前記画像データはファイル形式で記録されていることを特徴とする請求項１３記載の画像処理装置。
【請求項１５】
さらに、前記記録媒体に記録する際に、指定された単位データ量ごとに上書きする単位データ量上書き手段と、
前記記録終了後に上書きされた画像データ量を計算する上書きデータ計算手段とを有し、
前記復元手段は、前記消去手段により消去された画像データと前記上書きデータ計算手段により計算されたデータ量に応じて、画像データを復元することを特徴とする請求項１３又は１４記載の画像処理装置。
【請求項１６】
前記画像データ選択手段は、
前記記録媒体中に記録された複数の画像データの中から消去の候補となる画像データを選び出す選択手段と、
前記選び出された画像データを表示する表示手段と、
前記記録媒体の残容量が少なくなった場合に、前記表示手段により表示された画像データの中から消去されてもかまわないデータを選択するためのユーザーインターフェースとを有することを特徴とする請求項１３〜１５のいずれか１項に記載の画像処理装置。
【請求項１７】
複数の記録モードを用いて画像データを記録媒体へ記録することが可能な画像処理方法であって、
現在の記録モードを検出する検出ステップと、
現在の記録モードと同じ記録モードで記録されている画像記録ファイルを前記記録媒体内から検索する検索ステップと、
前記検索されたファイルを消去ファイル候補として提示する提示ステップと、
前記提示された消去ファイル候補から消去ファイルをユーザーインターフェースにより選択する選択ステップと、
前記記録媒体に対して新しい画像データを記録処理中に前記記録媒体の残容量が少なくなった場合、前記選択された消去ファイルを消去する消去ステップと
を有することを特徴とする画像処理方法。
【請求項１８】
複数の記録フォーマットを用いて画像データを記録媒体へ記録することが可能な画像処理方法であって、
現在の記録フォーマットを検出する検出ステップと、
現在の記録フォーマットと同じ記録フォーマットで記録されている画像記録ファイルを前記記録媒体内から検索する検索ステップと、
前記検索されたファイルを消去ファイル候補として提示する提示ステップと、
前記提示された消去ファイル候補から消去ファイルをユーザーインターフェースにより選択する選択ステップと、
前記記録媒体に対して新しい画像データを記録処理中に前記記録媒体の残容量が少なくなった場合、前記選択された消去ファイルを消去する消去ステップと
を有することを特徴とする画像処理方法。
【請求項１９】
記録媒体に記録されている画像データの中から消去されてもかまわない画像データを選択する画像データ選択ステップと、
前記記録媒体に対して新しい画像データを記録処理中に前記記録媒体の残容量に応じて前記選択された画像データを消去する消去ステップと、
前記記録処理終了後に、前記記録媒体中の前記消去した画像データの位置に新しい画像データが上書きされているかどうか判定する上書き判定ステップと、
前記新しい画像データが上書きされていない場合は、前記消去した画像データを復元する復元ステップと
を有することを特徴とする画像処理方法。
【発明の詳細な説明】
【技術分野】
【０００１】
本発明は、画像処理装置及び方法に関する。
【背景技術】
【０００２】
近年、磁気テープに代わる新たな映像記録用の媒体として、デジタルビデオディスク（以降ＤＶＤ）やハードディスクを使用することが可能となって来ている。このような映像記録装置には、ＤＶＤドライブに加えて取り外し不可能な大容量のハードディスクを組み込んだ据え置き型のハードディスクレコーダーや、記録容量は少ないが取り外しが可能な小型ハードディスクを使用したハードディスクカムコーダーなどがある。どちらのタイプの記録装置でも、記録された番組や映像はファイル形式でＤＶＤまたはハードディスクに記憶されており、再生する場合には、画面表示されたリストを選択することで、ユーザーが見たいシーンや番組を瞬時に呼び出すことが可能である。特にハードディスクを使用する場合には前記特徴以外にも、一度見たシーンや番組など不必要となったファイルを瞬時に消去したり、番組の記録中であっても再生可能であったり、これまでの装置と比較して多くのメリットを備えている。以上説明したように、多くの長所を備えるハードディスクレコーダーは、ユーザーにとって非常に使い勝手の良い次世代映像記録装置として急速に広まりつつある。
【０００３】
しかしながら、記録媒体であるハードディスクは取り外しが不可能な組み込み式であり、また、取り外し可能であったとしてもその値段が磁気テープ等に比べると非常に高価である。そのために、ハードディスクの残り容量が少なくなった場合には、記録容量を確保するために、ユーザーが不必要となったデータを消去したり、別のメディアにコピーする必要があるという短所があった。
【０００４】
このような問題を解決するために、ハードディスクの残り容量が少なくなった場合には一度見た番組や、記録された日付が古い番組を記録中に自動的に消去して容量を確保する方法が、以前から提案されている（特許文献１、２、３）。
【０００５】
また、残り記録容量が無くなっても現在行っている記録を継続するために、予め上書き可能なファイルを指定しておき、記録容量が無くなった時点で上書き指定ファイルの記録エリアでの上書きを行って記録を続行する画像記録装置が提案されている。
【０００６】
しかし、記録媒体へ記録された膨大な記録ファイル数の中から上書き指定ファイルを選択するのは大変煩雑な作業となる。
【０００７】
【特許文献１】特開２００２−３０５７０６号公報
【特許文献２】特開平１１−６６６９４号公報
【特許文献３】特開２００２−１１２１５０号公報
【発明の開示】
【発明が解決しようとする課題】
【０００８】
しかしながら、これらの提案はいずれも、記録時にハードディスクの残り容量が少なかった場合には、自動的に古い映像や一度見た番組を消去するというものである。ユーザが記録中に止むを得ず消去した場合に、ユーザが容量として必要な容量以上に容量を消去してしまう不具合が生じることがある。
【０００９】
本発明の目的は、記録媒体の残容量に応じて画像データを消去する場合に、簡便かつ適切に画像データを消去することである。
【課題を解決するための手段】
【００１０】
本発明の画像処理装置は、複数の記録モードを用いて画像データを記録媒体へ記録することが可能な画像処理装置であって、現在の記録モードを検出する検出手段と、現在の記録モードと同じ記録モードで記録されている画像記録ファイルを前記記録媒体内から検索する検索手段と、前記検索されたファイルを消去ファイル候補として提示する提示手段と、前記提示された消去ファイル候補から消去ファイルを選択するユーザーインターフェースと、前記記録媒体に対して新しい画像データを記録処理中に前記記録媒体の残容量が少なくなった場合、前記選択された消去ファイルを消去する消去手段とを有することを特徴とする。
また、本発明の画像処理装置は、複数の記録フォーマットを用いて画像データを記録媒体へ記録することが可能な画像処理装置であって、現在の記録フォーマットを検出する検出手段と、現在の記録フォーマットと同じ記録フォーマットで記録されている画像記録ファイルを前記記録媒体内から検索する検索手段と、前記検索されたファイルを消去ファイル候補として提示する提示手段と、前記提示された消去ファイル候補から消去ファイルを選択するユーザーインターフェースと、前記記録媒体に対して新しい画像データを記録処理中に前記記録媒体の残容量が少なくなった場合、前記選択された消去ファイルを消去する消去手段とを有することを特徴とする。
また、本発明の画像処理装置は、記録媒体に記録されている画像データの中から消去されてもかまわない画像データを選択する画像データ選択手段と、前記記録媒体に対して新しい画像データを記録処理中に前記記録媒体の残容量に応じて前記選択された画像データを消去する消去手段と、前記記録処理終了後に、前記記録媒体中の前記消去した画像データの位置に新しい画像データが上書きされているかどうか判定する上書き判定手段と、前記新しい画像データが上書きされていない場合は、前記消去した画像データを復元する復元手段とを有することを特徴とする。
また、本発明の画像処理方法は、複数の記録モードを用いて画像データを記録媒体へ記録することが可能な画像処理方法であって、現在の記録モードを検出する検出ステップと、現在の記録モードと同じ記録モードで記録されている画像記録ファイルを前記記録媒体内から検索する検索ステップと、前記検索されたファイルを消去ファイル候補として提示する提示ステップと、前記提示された消去ファイル候補から消去ファイルをユーザーインターフェースにより選択する選択ステップと、前記記録媒体に対して新しい画像データを記録処理中に前記記録媒体の残容量が少なくなった場合、前記選択された消去ファイルを消去する消去ステップとを有することを特徴とする。
また、本発明の画像処理方法は、複数の記録フォーマットを用いて画像データを記録媒体へ記録することが可能な画像処理方法であって、現在の記録フォーマットを検出する検出ステップと、現在の記録フォーマットと同じ記録フォーマットで記録されている画像記録ファイルを前記記録媒体内から検索する検索ステップと、前記検索されたファイルを消去ファイル候補として提示する提示ステップと、前記提示された消去ファイル候補から消去ファイルをユーザーインターフェースにより選択する選択ステップと、前記記録媒体に対して新しい画像データを記録処理中に前記記録媒体の残容量が少なくなった場合、前記選択された消去ファイルを消去する消去ステップとを有することを特徴とする。
また、本発明の画像処理方法は、記録媒体に記録されている画像データの中から消去されてもかまわない画像データを選択する画像データ選択ステップと、前記記録媒体に対して新しい画像データを記録処理中に前記記録媒体の残容量に応じて前記選択された画像データを消去する消去ステップと、前記記録処理終了後に、前記記録媒体中の前記消去した画像データの位置に新しい画像データが上書きされているかどうか判定する上書き判定ステップと、前記新しい画像データが上書きされていない場合は、前記消去した画像データを復元する復元ステップとを有することを特徴とする。
【発明の効果】
【００１１】
記録媒体の残容量に応じて画像データを消去する場合に、簡便かつ適切に画像データを消去することができる。
【発明を実施するための最良の形態】
【００１２】
（第１の実施形態）
図１に、本発明の第１の実施形態によるカメラ一体型ハードディスクレコーダ（画像処理装置）のブロック図を示す。１０１はレンズから入力された光を電気的なデジタル映像（画像）信号に変換するカメラブロックである。１０２はカメラブロック１０１から出力されたデジタル映像信号を受けて、ＳＤＲＡＭ１０３に書き込み、且つ同時にＬＣＤ１１０に対して出力を行う映像インターフェース回路である。１０３は前記デジタル映像信号を記憶（信号処理）するためのＳＤＲＡＭである。１０４は前記デジタル信号をＳＤＲＡＭ１０３から読み出し、ＭＰＥＧ方式によって圧縮して再びＳＤＲＡＭ１０３に書き戻すＭＰＥＧコーデック回路である。１０５はハードディスク、１０６はＭＰＥＧ圧縮された映像データをハードディスク１０５に書き込むためのハードディスクインターフェース回路である。１０７はこれらのブロック全体を制御するＣＰＵである。１０８はＣＰＵ１０７によって画面表示のビットマップ（Ｂｉｔｍａｐ）パターン及び色の設定が書き込まれ、画像Ｍｉｘ回路１０９に出力することで様々なユーザーインターフェースを表示するＢｉｔｍａｐ表示回路である。１０９は前記Ｂｉｔｍａｐ表示回路１０８から出力される文字やグラフィック情報と、映像インターフェース回路１０２から出力されるカメラ映像信号を混合（Ｍｉｘ）する画像Ｍｉｘ回路である。１１０は映像Ｍｉｘ回路１０９から出力された映像信号を表示するＬＣＤ、１１１はカメラの操作を行うための操作キーブロックである。
【００１３】
図示はしないが、操作キーブロック１１１には、以下の操作キーなどがある。第１の操作キーは、カメラ／オフ（ＯＦＦ）／再生の３ポジションを持つ電源スイッチである。第２の操作キーは、映像の記録／終了を行うためのスタート（Ｓｔａｒｔ）／ストップ（Ｓｔｏｐ）スイッチである。第３の操作キーは、ハードディスクに記録されている映像を再生するためのレコーダーキー群である。第４の操作キーは、ＧＵＩ操作を行うための十字キーと確定キーである。第５の操作キーは、ＧＵＩ操作の取り消しを行うための取り消しキーである。第６の操作キーは、メニュー設定画面を呼び出すためのメニューキーである。
【００１４】
次に、ＳＤＲＡＭ１０３のマッピング構造を図２を用いて説明する。２０１はビデオメモリで、前記映像インターフェース回路１０２によってカメラブロック１０１から出力されたデジタル映像信号（Ｙ／Ｃｒ／Ｃｂ形式）が書き込まれる。このビデオメモリ２０１は２バンク構成となっており、映像インターフェースブロック１０２からの書き込みと、次に説明するＭＰＥＧコーデック１０４による読み出しが、それぞれ別のバンクをアクセスする構造となっている。２０２はＭＰＥＧバッファで、前記ＭＰＥＧコーデック１０４が映像信号の圧縮を行うために使用する領域である。ＭＰＥＧ方式によるフレーム間圧縮は、本ＭＰＥＧバッファ２０２を用いて３フレーム画像の単位で行われるが、ここで圧縮されたデータは次にＶＲＯバッファ２０４にストリームデータとして書き込まれる。ＶＲＯバッファ２０４はリング状の構成となっており、書き込みアドレスが所定の番地に達すると再び元のアドレスに戻って前記データを上書きしていくように動作する。次に、ＶＲＯバッファ２０４に書き込まれたストリームデータはハードディスクドライブインターフェース回路１０６によって順次読み出され、ハードディスクドライブ１０５に書き込まれることとなる。２０３はＩＦＯバッファで、後述するハードディスクの管理情報３０１及び自動消去ファイル情報３０７をＣＰＵ１０７が編集するための領域である。
【００１５】
図３にハードディスク１０５のデータ構造を示す。ハードディスク１０５には、管理情報３０１、映像ストリームデータ３０２、及び自動消去ファイル情報３０７の３種類のデータが書き込まれている。３種類のデータ３０１、３０２、３０７は、それぞれＶＲ＿ＭＯＶＩＥ．ＩＦＯ、ＶＲ＿ＭＯＶＩＥ．ＶＲＯ、ＡＵＴＯ＿ＤＥＬ．ＩＦＯと名づけられたファイル構成となっている。映像ストリームデータファイル（ＶＲ＿ＭＯＶＩＥ．ＶＲＯ）３０２には、撮影された映像データが前記説明したようにＭＰＥＧ方式にて圧縮され順次追記されて行く。ストリーム３０３〜３０６が順次記録されていく。このデータ構造を管理しているのが管理情報（ＶＲ＿ＭＯＶＩＥ．ＩＦＯ）３０１である。管理情報３０１は、それぞれの映像ストリームデータに対して、データ先頭のアドレス情報と映像名、撮影された日付情報、画像のリスト表示等に使用するための代表的な画面のアドレス情報、ユーザーが映像を整理・格納するためのフォルダ情報等が記録される。自動消去ファイル情報（ＡＵＴＯ＿ＤＥＬ．ＩＦＯ）３０７には、後述するユーザーインターフェース画面を用いてユーザーが選択した、自動消去候補映像に対応したストリーム番号が書き込まれている。この情報は、ハードディスクの残り容量が少なくなって自動消去が実行されるときに参照され、消去映像が決定されることとなる。
【００１６】
図４に、自動消去候補となる映像の登録を行うことを促すためのメッセージを表示するウィンドウの画面を示す。４０１は現在カメラで撮影している映像で、４０２は前記自動消去候補登録ウィンドウを表示するか否かの選択をユーザーに行わせるためのメッセージウィンドウである。このウィンドウ内で「する」を選択した場合には、次に説明する図５の消去候補選択ウィンドウを引き続き表示することで、ユーザーが自動消去されても構わない映像データを登録する操作を行うことができる。該メッセージウィンドウにて「しない」を選択した場合にはこのメッセージが消えて、元の状態（この表示例の場合は記録一時停止状態４０３）に戻る。以上説明したようなユーザー操作は、全て操作キーブロック１１１を用いて行うことが可能である。引き続き図５に、自動消去候補映像を選択するウィンドウを示す。５０１はカーソルで、ユーザーが自動消去されても構わない映像をリストの中から選択するために使用する。５０２はチェックボックス、５０３はリストアップされた映像の代表的な画面、５０４は映像名、５０５はガイド表示である。ユーザーはまずカーソル５０１によって映像を選択した状態で「確定」キーを押下すると、その映像のチェックボックス５０２内にチェックマークが表示され、自動消去されても構わない映像として登録される。また、チェックマークが表示されている映像をカーソル５０１により選択して「確定」キーを押下すると、チェックマークが消えて、登録をキャンセルすることも可能である。リストアップされた映像が多数ある場合には、カーソル５０１を下方向に移動すればページが切り換わり、次の映像を確認・登録することが可能である。全ての映像の登録が終了した後に「戻る」キーを押下すると、この画面にて登録された映像の管理情報（ＶＲ＿ＭＯＶＩＥ．ＩＦＯ）３０１に記憶されている映像番号を、自動消去ファイル情報（ＡＵＴＯ＿ＤＥＬ．ＩＦＯ）３０７に書き込む。そして、元の記録一時停止状態に戻る。
【００１７】
次に図６のフローチャートを用いて、本実施形態のカメラ一体型ハードディスクレコーダーの、電源投入時から消去候補映像の登録及び映像データの自動消去までの手順を説明する。本フローチャートによる手順は全てＣＰＵ１０７の制御により実行されるものである。
【００１８】
最初に前述した電源スイッチの操作によりカメラモードで電源オンされると、装置は記録一時停止状態となる。この状態で、ステップ６０１においてハードディスクの残り容量をチェックする。これは、あらかじめ設定されている第一の残容量比較値Ｒ１と、実際のハードディスクの残容量Ｒｃの比較を行うものである。比較値よりも実容量の方が少なかった（Ｒ１＞Ｒｃ）場合で、且つ、自動消去フィル情報（ＡＵＴＯ＿ＤＥＬ．ＩＦＯ）３０７内に、自動消去候補映像が一つも登録されていない場合には、前述したように、ステップ６０２の処理を行う。すなわち、自動消去候補となる映像の登録を行うことを促すためのメッセージウィンドウ（図４参照）を表示する（ステップ６０２）。次にステップ６０３にて、前記ウィンドウ操作でユーザーが「しない」を選択した場合には、ステップ６０４にてメッセージウィンドウ表示を消して、元の記録一時停止状態に戻る。またステップ６０３にて「する」を選択した場合には、ステップ６０５にてあらかじめ決められた条件によって自動消去候補リストを作成した後、ステップ６０６にて前述したような自動消去候補映像を選択するウィンドウ（図５参照）を表示する。次にステップ６０７において、ユーザーはこのウィンドウで前述したような操作を行うことで自動的に消去されても構わない映像を選択した後に、ステップ６０８にてウィンドウを閉じると、ステップ６０９の処理を行う。ステップ６０９で前記選択された映像の番号が、自動消去ファイル情報（ＡＵＴＯ＿ＤＥＬ．ＩＦＯ）３０７に記憶され、元の記録一時停止状態に戻る。記録の一時停止状態では、ステップ６１０にて電源オフするかどうか、またステップ６１１にて記録を開始するかどうかのチェックを行っている。電源スイッチが電源オフ状態となった場合には、そのまま電源オフとなる。また、前記スタート／ストップキーにより記録が開始された場合には、ステップ６１２にて記録が実行される（電気的な記録動作に関しては、図１及び図２を用いて既に説明済）。記録を実行している最中は、ステップ６１３にてハードディスク（ＨＤＤ）の残量のチェックを行う。これは、あらかじめ設定されている第二の残容量比較値Ｒ２と、実際のハードディスクの残容量Ｒｃの比較を行うもので、比較値よりも実容量の方が少なかった（Ｒ２＞Ｒｃ）場合には、ステップ６１４にて映像データの消去を実行する。その際には、自動消去ファイル情報（ＡＵＴＯ＿ＤＥＬ．ＩＦＯ）３０７を参照し、どの映像を消去するのかを確定する。その後、管理情報（ＶＲ＿ＭＯＶＩＥ．ＩＦＯ）３０１から前記確定された映像データに関する情報を消去することで、映像データの消去が実行される。このような一連の消去処理は、ステップ６１２にて開始された記録動作を行っている最中に自動的に実行される。記録中にスタート／ストップキーが押下されると、記録一時停止状態となるが、ステップ６１５にてそのチェックを行っている。その場合、記録終了でなければ、ハードディスク残量チェック（ステップ６１３）に再び戻る。記録終了ならば、ステップ６１６にて消去ファイルに上書きされたかどうかのチェックを行い、消去されていない映像を表示し、ユーザに復元するかどうかのウィンドウ表示を行う（ステップ６１７）。復元が選択された場合（ステップ６１８）は、選択された映像の復元を行い、ＶＲ＿ＭＯＶＩＥ．ＩＦＯ、ＶＲ＿ＭＯＶＩＥ．ＶＲＯ、ＡＵＴＯ＿ＤＥＬ．ＩＦＯのファイルを元の状態に戻し（ステップ６１９）、記録終了処理を行う（ステップ６２０）。
【００１９】
以上説明した例はファイル単位の消去の復元に関してであるが、ステップ６１４のデータの消去をファイルではなくデータ量で消去した場合の実施形態を図７を用い以下に説明する。
【００２０】
ステップ６０１から６１３までは図６と同じフローである。ステップ６１３のハードディスク残量チェックで容量が少ない場合に、現在消去中のファイルデータがあるかどうかのチェックを行う（ステップ７０１）。消去中のファイルがなければ、消去可能なファイルから消去ファイルを選択する（ステップ７０２）。消去中のファイルがあれば、消去可能なデータ量があるかどうかをチェックする（ステップ７０３）。消去可能なデータがなければ消去可能なファイルより消去ファイルを選択し、消去するデータ量を確保し単位データ量分だけデータを消去する（ステップ７０４）。このデータ消去には、消去されたデータのアドレスを管理情報（ＶＲ＿ＭＯＶＩＥ．ＩＦＯ）３０１として記録していおく。そして、データが消去された場所にデータを記録する（ステップ７０５）。このデータ記録には映像データの他に、新しく記録されたデータのアドレスも管理情報（ＶＲ＿ＭＯＶＩＥ．ＩＦＯ）３０１として記録しておく。これを記録終了まで繰り返す。記録終了が選択されると（ステップ６１５）、ステップ６１６で記録されたデータは消去ファイルに上書きされたかどうかの判定を行う。消去ファイルに上書きされていなければ、記録終了処理（ステップ６２０）を行い処理を終える。消去ファイルに上書きされていた場合は、ユーザにメッセージを出し（ステップ６１７）、ファイルを復元するかどうかの選択をさせる（ステップ６１８）。ファイル復元が選択された場合は、消去されたデータ量を計算する（ステップ７０６）。そして、消去分のデータ量より、消去ファイルより復元可能なデータを復元し、管理情報（ＶＲ＿ＭＯＶＩＥ．ＩＦＯ）３０１、およびストリームデータファイル（ＶＲ＿ＭＯＶＩＥ．ＶＲＯ）３０２を変更する（ステップ７０７）。記録終了処理において、上書きされたデータが存在した場合、単位データ量で記録されたデータを記録されたアドレス情報を元に、連続データに書き戻す処理を入れてもよい。
【００２１】
図８は記録終了後にファイルが削除されたかった場合に表示する一例を示す。８０１はプレビュー画像で、８０２はファイルを復元するか否かの選択をユーザーに行わせるためのメッセージウィンドウである。８０３には復元可能な映像の代表画像を表示している。複数の映像がある場合はリスト表示でまとめて復元や、１つの映像ごとに復元するか否かを選択していもよい。このウィンドウ内で「する」を選択した場合には、代表画像８０３に表示される映像が復元される。該メッセージウィンドウにて「しない」を選択した場合にはこのメッセージが消えて、元の状態（この表示例の場合は記録一時停止状態）に戻る。あるいは、ファイルを消去する処理を行ってもよい。
【００２２】
以上のように、本実施形態では、まず、ステップ６０５で、記録媒体中に記録された複数の画像データの中から消去の候補となる画像データを選び出す。次に、ステップ６０６で、前記選び出された画像データを表示する。次に、ステップ６０７で、前記記録媒体の残容量が少なくなった場合に、前記表示された画像データの中から消去されてもかまわないデータをユーザーインターフェースにより選択する。次に、ステップ６１４で、前記記録媒体に対して新しい画像データを記録処理中に前記記録媒体の残容量に応じて前記選択された画像データを消去する。次に、ステップ６１６で、前記記録処理終了後に、前記記録媒体中の前記消去した画像データの位置に新しい画像データが上書きされているかどうか判定する。次に、ステップ６１９で、前記新しい画像データが上書きされていない場合は、前記消去した画像データを復元する。前記記録媒体はハードディスクであり、前記画像データはファイル形式で記録されている。
【００２３】
図７では、前記記録媒体に記録する際に、指定された単位データ量ごとに上書きする。ステップ７０６では、前記記録終了後に上書きされた画像データ量を計算する。ステップ７０７では、前記消去された画像データと前記計算されたデータ量に応じて、画像データを復元する。
【００２４】
また、前記記録中には、前記消去される画像データの末尾より単位データを順次上書きする。前記上書きされた画像データは、ステップ６０７の選択に応じて、連続データとしてデータが並び替えられる。前記並び替えられた情報は前記記録媒体に記録される。
【００２５】
以上のように、本実施形態によれば、ハードディスクの残容量が少なくなった場合に、ハードディスク中に記録された複数の映像ファイルの中から、自動消去の候補となるいくつかの映像ファイルを自動的に選び出す。そして、選び出された映像ファイルの代表的な画面をファイル名と共にリスト表示し、ユーザーが、表示された映像リストの中から自動的に消去されてもかまわないファイルを選択する。選択されたファイルは、その後記録を行っている最中に自動的に消去される。消去ファイルにデータが上書きされていなければ、ファイルを復元させる。
【００２６】
ハードディスク（ＨＤＤ）カムコーダーにおいて、ハードディスクの残りの容量が少なくなった場合でも、不必要な映像を自動消去することで記録を継続させることができる。その際、消去ファイルにデータが上書きされていなければファイルを復元する。これにより、ユーザが止むを得ず映像や番組を消去する場合に、必要な容量だけデータを消去するハードディスク記録装置を提供することが可能となる。
【００２７】
（第２の実施形態）
図９に、本発明の第２の実施形態によるカメラ一体型ハードディスクレコーダ（画像処理装置）のブロック図を示す。図９は、図１に対して、ＳＤフォーマットコーデック回路１１２を追加したものである。
【００２８】
１０１はレンズから入力された光を電気的なデジタル映像信号に変換するカメラブロックである。１０２はカメラブロック１０１から出力されたデジタル映像信号を受けて、ＳＤＲＡＭ１０３に書き込み、且つ同時にＬＣＤ１１０に対して出力を行う映像インターフェース回路である。１０３は前記デジタル映像信号を記憶（信号処理）するためのＳＤＲＡＭである。１０４は前記デジタル信号をＳＤＲＡＭ１０３から読み出し、ＭＰＥＧ方式によって圧縮して再びＳＤＲＡＭ１０３に書き戻すＭＰＥＧコーデック回路である。１１２はＭＰＥＧコーデック回路１０４と同様に前記デジタル信号をＳＤＲＡＭ１０３から読み出し、ＳＤフォーマットとして圧縮し、再びＳＤＲＡＭ１０３へ書き戻すＳＤフォーマットコーデック回路である。１０５はハードディスク、１０６はＭＰＥＧ圧縮された映像データやＳＤフォーマットへ変換された映像データをハードディスク１０５に書き込むためのハードディスクインターフェース回路である。１０７はこれらのブロック全体を制御するＣＰＵである。１０８はＣＰＵ１０７によって画面表示のビットマップ（Ｂｉｔｍａｐ）パターン及び色の設定が書き込まれ、画像Ｍｉｘ回路１０９に出力することで様々なユーザーインターフェースを表示するＢｉｔｍａｐ表示回路である。１０９は前記Ｂｉｔｍａｐ表示回路１０８から出力される文字やグラフィック情報と、映像インターフェース回路１０２から出力されるカメラ映像信号を混合（Ｍｉｘ）する画像Ｍｉｘ回路である。１１０は映像Ｍｉｘ回路１０９から出力された映像信号を表示するＬＣＤ、１１１はカメラの操作を行うための操作キーブロックである。
【００２９】
図示はしないが、操作キーブロック１１１には、以下の操作キーなどがある。第１の操作キーは、カメラ／オフ（ＯＦＦ）／再生の３ポジションを持つ電源スイッチである。第２の操作キーは、映像の記録／終了を行うためのスタート（Ｓｔａｒｔ）／ストップ（Ｓｔｏｐ）スイッチである。第３の操作キーは、ハードディスクに記録されている映像を再生するためのレコーダーキー群である。第４の操作キーは、ＧＵＩ操作を行うための十字キーと確定キーである。第５の操作キーは、ＧＵＩ操作の取り消しを行うための取り消しキーである。第６の操作キーは、メニュー設定画面を呼び出すためのメニューキーである。
【００３０】
次に、ＳＤＲＡＭ１０３のマッピング構造を図１０を用いて説明する。図１０は、図２に対して、ＳＤフォーマットバッファ２０５を追加したものである。
【００３１】
２０１はビデオメモリで、前記映像インターフェース回路１０２によってカメラブロック１０１から出力されたデジタル映像信号（Ｙ／Ｃｒ／Ｃｂ形式）が書き込まれる。このビデオメモリ２０１は２バンク構成となっている。ビデオメモリ２０１は、映像インターフェースブロック１０２からの書き込みと、次に説明するＭＰＥＧコーデック１０４やＳＤフォーマットコーデック１１２による読み出しが、それぞれ別のバンクをアクセスする構造となっている。２０２はＭＰＥＧバッファで、前記ＭＰＥＧコーデック１０４が映像信号の圧縮を行うために使用する領域である。ＭＰＥＧ方式によるフレーム間圧縮は、本ＭＰＥＧバッファ２０２を用いて３フレーム画像の単位で行われるが、ここで圧縮されたデータは次にＶＲＯバッファ２０４にストリームデータとして書き込まれる。ＶＲＯバッファ２０４はリング状の構成となっており、書き込みアドレスが所定の番地に達すると再び元のアドレスに戻って前記データを上書きしていくように動作する。次に、ＶＲＯバッファ２０４に書き込まれたストリームデータはハードディスクドライブインターフェース回路１０６によって順次読み出され、ハードディスクドライブ１０５に書き込まれることとなる。２０５はＳＤフォーマットバッファで、前記ＳＤフォーマットコーデック１１２が映像信号の圧縮を行うための領域である。前記ＳＤフォーマットによる圧縮変換は、ビデオセグメント単位で行われ、この圧縮された情報へパリティ情報等が付加された後、ＶＲＯバッファ２０４へストリームデータとして書き込みが行われる。その後のハードディスクへの書き込み処理はＭＰＥＧ時と同様である。
【００３２】
２０３はＩＦＯバッファで、後述するハードディスクの管理情報３０１及び自動消去ファイル情報３０７をＣＰＵ１０７が編集するための領域である。
【００３３】
図３に、ハードディスク１０５のデータ構造を示す。第１の実施形態と同様に、ハードディスク１０５には、管理情報３０１、映像データ３０２、及び自動消去ファイル情報３０７の３種類のデータが書き込まれている。３種類のデータ３０１、３０１、３０７は、それぞれＶＲ＿ＦＩＬＥ．ＩＦＯ、ＶＲ＿ＦＩＬＥ．ＶＲＯ、ＡＵＴＯ＿ＤＥＬ．ＩＦＯと名づけられたファイル構成となっている。ファイル名が第１の実施形態と異なる。映像データファイル（ＶＲ＿ＦＩＬＥ．ＶＲＯ）３０２には、撮影された映像データが前記説明したようにＭＰＥＧ方式等にて圧縮され順次追記されて行く。このデータ構造を管理しているのが管理情報（ＶＲ＿ＦＩＬＥ．ＩＦＯ）３０１である。管理情報３０１は、以下の情報などが記録されている。それぞれの映像データに対して、データ先頭のアドレス情報と映像名、撮影された日付情報、画像のリスト表示等に使用するための代表的な画面のアドレス情報、記録モード情報、記録フォーマット情報、ユーザーが映像を整理・格納するためのフォルダ情報である。自動消去ファイル情報（ＡＵＴＯ＿ＤＥＬ．ＩＦＯ）３０７には、後述するユーザーインターフェース画面を用いてユーザーが選択した、自動消去候補映像に対応したストリーム番号が書き込まれている。この情報は、ハードディスクの残り容量が少なくなって自動消去が実行されるときに参照され、消去映像が決定されることとなる。
【００３４】
図１１は自動消去候補ファイルを選択するためのユーザーインターフェース画面である。この画面は前記したＣＰＵ１０７によって起動されたＢｉｔｍａｐ表示データ制御部１０８によって液晶画面１１０に表示される。
【００３５】
１１０１は自動消去候補として選択するかしないかを示すマーカー部分である。１１０２はリストとして提示されているファイルの代表的な画像を表示しており、ファイル内容を確認しやすくしている。１１０３は各ファイルの記録モード（動画）を示しており、１１０４は記録フォーマット（ＳＤ）を示している。１１０５はファイル名（記録時間）、１１０６はリストのスクロールバー、１１０７はファイルを選択したりリストをスクロールするためのガイド表示である。１１０８は、次回記録可能時間合計を表示する。また、１１０９は現在選択されている記録モード、記録フォーマットを示している。リストの最初に提示されるファイルはこの記録モードと記録フォーマットに一致するファイルとなっており、各ファイルを消去することで得られる記録時間との互換が取り易くなっている。また、その他の記録モードや記録フォーマットのファイルは、リストを下へスクロールすると画面上に表示され、選択することができる。
【００３６】
図１２は、図１１で示されたユーザーインターフェース画面を表示するためのフローチャートを示している。
【００３７】
消去候補リストウィンドウ表示要求があると、上書き候補ファイルの検索を開始する。まず、現在の録画モード情報を取得し（ステップ１２０１）、さらに録画フォーマット情報も取得（ステップ１２０２）した後、ハードディスク内に記録されている画像ファイル情報を検索する（ステップ１２０３）。この検索結果が現在の録画モード、フォーマットと同じか否かを判定する（ステップ１２０４）。同じであった場合、上書き指定候補リストへそのファイルを追加し（ステップ１２０５）、ハードディスクへ記録されたファイルがそれで終わりかどうかを確認する（ステップ１２０７）。その後、他の記録ファイルの情報を再び取得する動作を繰り返す。一方、現在の記録モードやフォーマットと異なるファイルであった場合は、その他のファイルリストへファイル情報が追加される（ステップ１２０６）。こうして、全記録ファイルを上書き指定候補リストとその他のファイルリストへ分類し終わってから、上書き指定選択画面の描画処理を行い（ステップ１２０８）、処理を終了する。
【００３８】
上書き指定選択画面の描画処理を行う際には、先程上書き指定候補リストにリストアップされたファイルから順番に表示され、その後にその他のファイルリストへ分類されたファイルが表示される。
【００３９】
以上のように、本実施形態の画像処理装置は、複数の記録モードを用いて画像データを記録媒体へ記録することが可能である。ステップ１２０１で、現在の記録モードを検出する。次に、ステップ１２０３及び１２０４で、現在の記録モードと同じ記録モードで記録されている画像記録ファイルを前記記録媒体内から検索する。これらの処理は、図６のステップ６０５に対応する。次に、ステップ６０７（ステップ１２０８）で、前記検索されたファイルを消去ファイル候補として提示する。次に、ステップ６０７で、前記提示された消去ファイル候補から消去ファイルをユーザーインターフェースにより選択する。次に、ステップ６１４では、前記記録媒体に対して新しい画像データを記録処理中に前記記録媒体の残容量が少なくなった場合、前記選択された消去ファイルを消去する。前記記録モードは、静止画を記録するモード、動画を記録するモード、記録する画像の画質を決定するモード、又は記録する画像のサイズを決定するモードである。前記記録媒体は、ハードディスク（ＨＤＤ）又はデジタルビデオディスク（ＨＤＤ））である。
【００４０】
また、本実施形態の画像処理装置は、複数の記録フォーマットを用いて画像データを記録媒体へ記録することが可能である。ステップ１２０２では、現在の記録フォーマットを検出する。次に、ステップ１２０３及び１２０４で、現在の記録フォーマットと同じ記録フォーマットで記録されている画像記録ファイルを前記記録媒体内から検索する。これらの処理は、図６のステップ６０５に対応する。次に、ステップ６０７（ステップ１２０８）で、前記検索されたファイルを消去ファイル候補として提示する。次に、ステップ６０７で、前記提示された消去ファイル候補から消去ファイルをユーザーインターフェースにより選択する。次に、ステップ６１４で、前記記録媒体に対して新しい画像データを記録処理中に前記記録媒体の残容量が少なくなった場合、前記選択された消去ファイルを消去する。前記記録フォーマットは、ビデオ記録フォーマットであるＳＤフォーマット、又はビデオ記録フォーマットであるＨＤＶフォーマットである。前記記録媒体は、ハードディスク（ＨＤＤ）又はデジタルビデオディスク（ＨＤＤ））である。
【００４１】
以上のように、本実施形態によれば、現在の記録モード、記録フォーマットと同じ記録様式で記録されている画像ファイルを消去候補ファイルとして優先的にリストアップする。これにより、そのファイルを消去することで得られる記録時間や静止画記録枚数などの互換を取り易くし、消去候補ファイルの選択を簡便にする。
【００４２】
ハードディスク（ＨＤＤ）カムコーダーにおいて、ハードディスクの残りの容量が少なくなった場合でも、不必要な映像を自動消去することで記録を継続させる際に、予め消去候補ファイルを決定しておくことが考えられる。そのときに膨大な記録ファイルの中から簡便に消去候補ファイルを選択できる。
【００４３】
現在記録しようとしている記録モード、あるいは記録フォーマットと同じファイルを優先的にユーザーへ提示することで、上書き指定ファイルによって得られる記録時間、記録枚数の互換がとり易くなり、上書き指定ファイルの選択が簡易になる。
【００４４】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４５】
【図１】本発明の第１の実施形態によるカメラ一体型ハードディスクレコーダのブロック図である。
【図２】ＳＤＲＡＭの構造例を示す図である。
【図３】ハードディスクのデータ構造例を示す図である。
【図４】メッセージウィンドウを示す図である。
【図５】自動消去候補選択ウィンドウを示す図である。
【図６】第１の実施形態のフローチャートである。
【図７】単位データ消去のファイル復元のフローチャートである。
【図８】ファイル復元選択ウィンドウを示す図である。
【図９】本発明の第２の実施形態によるカメラ一体型ハードディスクレコーダのブロック図である。
【図１０】ＳＤＲＡＭの構造例を示す図である。
【図１１】消去候補選択ウィンドウを示す図である。
【図１２】消去候補ウィンドウ生成処理を示すフローチャートである。
【符号の説明】
【００４６】
１０１  カメラ
１０２  映像インターフェース回路
１０３  ＳＤＲＡＭ
１０４  ＭＰＥＧコーデック回路
１０５  ハードディスクドライブ
１０６  ハードディスクドライブインターフェース
１０７  ＣＰＵ
１０８  Ｂｉｔｍａｐ表示回路
１０９  画像Ｍｉｘ回路
１１０  ＬＣＤ
１１１  操作入力スイッチ
１１２  ＳＤフォーマットコーデック回路
【図１】
2007164894.tif 000003
【図２】
2007164894.tif 000004
【図３】
2007164894.tif 000005
【図４】
2007164894.tif 000006
【図５】
2007164894.tif 000007
【図６】
2007164894.tif 000008
【図７】
2007164894.tif 000009
【図８】
2007164894.tif 000010
【図９】
2007164894.tif 000011
【図１０】
2007164894.tif 000012
【図１１】
2007164894.tif 000013
【図１２】
2007164894.tif 000014